(57)【要約】【課題】本発明は構造が簡単で、操作が便利で、且つゼロ挿入力の効果を生じ持久するゼロ挿入力電気コネクタを提供することを目的とする。【解決手段】本発明のゼロ挿入力電気コネクタは端子穴アレイを設けたベースと、端子穴に収容された複数の導電端子と、ベースに取り付けられ、且つベースに相対して摺動するカバーと、カバーを駆動してベースに相対して摺動する駆動装置と、を含み、ベースは一側に駆動装置を収容するための収容空間及び横向き側壁の内表面にあり且つ収容空間と連通する収容孔が設けられ、該収容空間は収容室及び収容溝を含み、収容孔に高所及び低所を有する階段当接面が形成され、駆動装置は操作ハンドル及びカム軸を含み、カバーを駆動するためのカム部が成形され、カム軸は当接面と当接する当接端を有し、当接端に高所及び低所を有する階段面が形成される。【選択図】　　図１
2004014508.tif 000002
【特許請求の範囲】
【請求項１】
端子穴アレイ、一側にある収容空間及び該収容空間と連通する収容孔が設けられ、該収容孔に高所と低所を有する階段状の当接面が形成される絶縁ベースと、
前記絶縁ベースの端子穴内に収容される複数の導電端子と、
前記絶縁ベースに取り付けられ、且つ絶縁ベースに対して摺動することができ、端子穴に対応するピン穴アレイ及び収容空間に対応する開口が設けられるカバーと、
前記絶縁ベースの収容空間に収容され、カム軸を有し、該カム軸は一端に高所及び低所を有する階段面が形成され、且つ前記収容孔内に取り付けられる駆動装置と、
を備え、
電気コネクタが開放位置にあった際に、前記カム軸の高所が収容孔の当接面の高所に当接され、電気コネクタが閉鎖位置にあった際に、前記カム軸の高所が収容孔の当接面の低所に当接され、カム軸の前記低所は収容孔の当接面の高所に当接していることを特徴とするゼロ挿入力電気コネクタ。
【請求項２】
前記駆動装置は、カム軸から垂直方向に延伸され、該カム軸に対して回転することができる操作ハンドルを含んでいることを特徴とする請求項１記載のゼロ挿入力電気コネクタ。
【請求項３】
前記カム軸は階段状に形成され、カバーを駆動して絶縁ベースに対して摺動できるカム部を有していることを特徴とする請求項２記載のゼロ挿入力電気コネクタ。
【請求項４】
前記収容空間はカム軸を収容するための収容室及び該収容室と連通し、且つ操作ハンドルを収容するための収容溝を含んでいることを特徴とする請求項２記載のゼロ挿入力電気コネクタ。
【請求項５】
前記電気コネクタが開放位置にある際に、操作ハンドルは開始位置にあり、カバーの変位はゼロであることを特徴とする請求項４記載のゼロ挿入力電気コネクタ。
【請求項６】
前記絶縁ベースは横向き側壁の収容溝に駆動装置が過度に回転することを防止するための斜面が設けられていることを特徴とする請求項４記載のゼロ挿入力電気コネクタ。
【請求項７】
前記絶縁ベースは横向き側壁の対する両端に１対の阻止柱が設けられ、操作ハンドルに該阻止柱をロックする弧形部が設けられ、駆動装置がその位置に支持されていることを特徴とする請求項２記載のゼロ挿入力電気コネクタ。
【請求項８】
端子穴アレイが設けられ、該端子穴に複数の導電端子が収容されている絶縁ベースと、
前記絶縁ベースに取付けられ、長手方向に絶縁ベースに対して摺動することができるカバーと、
前記絶縁ベースの一側に取付けられ、且つカバーに作用し、カム軸を有し、該カム軸は開放位置と閉鎖位置との間に回転し、カバーを駆動して長手方向に摺動させる駆動装置と、
を備え、
前記カバーは長手方向に絶縁ベースに相対する開始位置はカム軸の開放位置に対応し、絶縁ベースに相対する終止位置はカム軸の閉鎖位置に対応し、カバーの最大の変位はカム軸の開放位置或いは閉鎖位置に対応しておらず、二者の間にあり、且つカム軸が回転する過程中に、駆動装置は絶縁ベースに相対して長手方向に軸方向に摺動していることを特徴とするゼロ挿入力電気コネクタ。
【請求項９】
前記絶縁ベースは更に一側にある収容空間及び該収容空間と連通する収容孔が設けられ、該収容孔に当接面を有し、カム軸の一端が該収容孔に収容され、前記カム軸の端面の形状は収容孔の当接面と相補的に係合する形状であって、駆動装置が開放位置にある際に、カム軸の端面と当接面とが相補的に係合しておらず、駆動装置が閉鎖位置にある際に、カム軸の端面は回転し、収容孔の当接面と完全に相補形状に形成されていることを特徴とする請求項８記載のゼロ挿入力電気コネクタ。
【発明の詳細な説明】
【０００１】
【発明の属する技術分野】
本発明は、一種の電気コネクタに関し、特に駆動装置を有し、中央処理器を回路基板に電気的に接続させるために用いられるゼロ挿入力電気コネクタに関するものである。
【０００２】
【従来の技術】
従来のゼロ挿入力電気コネクタは通常複数の下端子通路を有する絶縁ベース及び複数の上端子通路を有し、且つ摺動可能に絶縁ベースに取付けられるカバーを含み、ドライバによりカバーを駆動して絶縁ベースに相対して摺動する。該駆動装置を有する電気コネクタ（例えば、特許文献１及び特許文献２参照）はドライバによりカバーと絶縁ベースとのスロットに挿入し、ドライバを回転してカバーを駆動して摺動する。当該ドライバに対して操作が便利でなく、且つドライバは通常硬い金属（例えば、鋼）から作られてなり、絶縁ベース及びカバーは柔らかい材料（例えば、プラスチック）から作られてなり、従って、仮に操作が適切に行われないならば、絶縁ベースまたはカバーが損傷する虞がある。
【０００３】
特許文献３乃至特許文献５には駆動装置を有する他のゼロ挿入力電気コネクタが提示され、該駆動装置は外部操作レバー及び絶縁ベースの凹所に埋設された回転レバーを含み、該回転レバーの一端は操作レバーに接続し、且つ複数のカム部或いはクランク部が設けられる。操作レバーが絶縁ベースに対して垂直となる所に回転する際に、中央処理器のピンは電気コネクタに便利に挿入され、操作者は操作レバーを水平位置に回転する過程中に、回転レバーのカム部はカバーを駆動して中央処理器といっしょに摺動し、中央処理器のピンは電気コネクタの相応する導電端子に当接し、従ってゼロ挿入力を実現することができる。反対に、操作レバーが水平位置から垂直位置に回転する際に、カバーは中央処理器といっしょに反対方向に摺動し、中央処理器のピンは電気コネクタの導電端子と離脱し、且つ中央処理器が外される。しかし、操作レバーは電気コネクタの一側にあることによって、電気コネクタの寸法が増加し、電気コネクタの小型化の傾向に合っていない。
【０００４】
特許文献６には一種の電気コネクタが提示され、駆動装置は回転軸線を囲って回転してカバーを駆動し、該回転軸線は電気コネクタの縦向側壁に対して平行し、即ち、カバーはインシュレーターに対して摺動する方向である。駆動装置はカム及び駆動レバーを含み、該駆動レバーはハンドル及び脚部を含む。しかし、該駆動装置は構造が複雑で、コストが高い。
【０００５】
特許文献７には簡単な駆動装置を有する一種の電気コネクタが提示され、しかし、電気コネクタが閉鎖位置にある際に、カムとカバーの蓋板との間には比較的高い応力を生じ、カムは亜鉛合金から作られてなり、カバーに取付けられる中央処理器が働く際に、電気コネクタの温度が向上し、前記高い応力によってカムが変形を生じて、中央処理器のピンは電気コネクタが閉鎖する際に、電気コネクタの導電端子と正確な位置に当接することはできない。さらに、電気コネクタを開放する際に、電気コネクタの導電端子から完全に離脱することはできず、ゼロ挿入力を実現することはできない。
【０００６】
【特許文献１】
米国特許第５７３０６１５号明細書
【特許文献２】
米国特許第６３４７９５１号明細書
【特許文献３】
米国特許第４４９８７２５号明細書
【特許文献４】
米国特許第５４８９２１８号明細書
【特許文献５】
米国特許第５４５４７２７号明細書
【特許文献６】
米国特許第６３３８６３９号明細書
【特許文献７】
米国特許第６２８０２２３号明細書
【０００７】
【発明が解決しようとする課題】
本発明は、構造が簡単で、操作が便利で、且つゼロ挿入力の効果を生じかつ該効果を維持するゼロ挿入力電気コネクタを提供することを目的とする。
【０００８】
【課題を解決するための手段】
本発明のゼロ挿入力電気コネクタは端子穴アレイを設けた絶縁ベースと、端子穴に収容された複数の導電端子と、絶縁ベースに取り付けられ、且つ絶縁ベースに相対して摺動するカバーと、カバーを駆動して絶縁ベースに相対して摺動する駆動装置と、を含み、絶縁ベースは一側に駆動装置を収容するための収容空間及び横向き側壁の内表面にあり且つ収容空間と連通する収容孔が設けられ、該収容空間は収容室及び収容溝を含み、収容孔に高所及び低所を有する階段当接面が形成され、駆動装置は操作ハンドル及びカム軸を含み、該カム軸に階段状に形成され、カバーを駆動するためのカム部が成形され、カム軸は当接面と当接する当接端を有し、当接端に高所及び低所を有する階段面が形成される。電気コネクタが開放位置にある際に、カム軸の当接端の高所は収容孔の当接面の高所に当接し、電気コネクタが閉鎖位置にある際に、カム軸の当接端の高所は収容孔の当接面の低所に当接し、カム軸の当接端の低所は収容孔の当接面の低所に当接する。
【０００９】
【発明の実施の形態】
図１を参照すると、本発明のゼロ挿入力電気コネクタ１は中央処理器を回路基板に電気的に接続することに用いられ、回路基板に取り付けられる絶縁ベース１０と、絶縁ベース１０に収容される複数の導電端子７０と、絶縁ベース１０に取り付けられ、且つ絶縁ベース１０に相対して摺動するカバー２０と、絶縁ベース１０とカバー２０との間に組立てられる駆動装置３０と、を含む。
【００１０】
図１及び図３を併せて参照すると、前記絶縁ベース１０にアレイ状に配列され、複数の導電端子７０を対応して収容するための複数の端子穴１２を有し、端子穴１２の周りに複数の貫通孔１４から形成されるアレイを有し、当該貫通孔１４は絶縁ベース１０を射出成形するために設計され、絶縁ベース１０の上面１１に駆動装置３０を収容するための収容空間１６が設けられ、該収容空間１６は貫通孔１４の間にある収容室１６０及び絶縁ベース１０の横向き側壁１３に沿って延伸され、且つ収容室１６０と連通する収容溝１６２を含み、横向き側壁１３の内表面は収容室１６０と長さが等しい所に収容孔１６４が設けられ、該収容孔１６４に階段当接面１６６が設けられ、該階段当接面１６６は高所１６６０と、低所１６６２と、高所１６６０と低所１６６２との間にある斜面１６６４と、を有する。また、絶縁ベース１０の横向き側壁１３の収容溝１６２にも斜面１７が設けられ、駆動装置３０が過度に回転することを防止し、横向き側壁１３の相対する両端に阻止柱１８が設けられる。
【００１１】
図１を参照すると、前記カバー２０に端子穴１２に垂直に対応して中央処理器（図示せず）のピンが挿入するためのピン穴２２のアレイを有し、カバー２０は一側に絶縁ベース１０の収容室１６０に対応して開口２４が設けられる。
【００１２】
図３を参照すると、前記駆動装置３０はカム軸３２及び該カム軸３２から垂直に延伸される操作ハンドル３４を含み、カム軸３２は絶縁ベース１０の収容室１６０に収容され、操作ハンドル３４は絶縁ベース１０の収容溝１６２に収容され、カム軸３２はカバー２０を駆動して絶縁ベース１０に相対して摺動するカム部３２０と、操作ハンドル３４から遠く離れ、且つ絶縁ベース１０に回転可能に支持する支持端３２４と、該支持端３２４と相対し、且つ当接面１６６と当接する当接端３２２と、を含む。該当接端３２２は高所３２２０と、低所３２２２と、高所３２２０と低所３２２２との間にある斜面３２２４と、を含み、当接端３２２は階段状に形成され、当接端３２２は当接孔１６４に収容し、且つ当接面１６６と当接する。操作ハンドル３４に絶縁ベース１０の阻止柱１８に当接する弧形部３４０が設けられ、閉鎖位置にある際に、駆動装置３０を固着する。
【００１３】
図１を参照すると、電気コネクタ１は更に蓋板４０、軸端片５０及び１対のロックボード６０を含む。蓋板４０は金属からなり、且つカバー２０の開口２４に固着し、蓋板４０に駆動装置３０のカム部３２０が挿入するための開口４２が設けられる。軸端片５０は絶縁ベース１０のスロット５１に挿入し、且つカム軸３２の支持端３２４に当接し、駆動装置３０を固着する。ロックボード６０は絶縁ベース１０のスロット６１に下方向から挿入し、且つカバー２０の底壁の相応する所（図に示せず）に係合し、カバー２０を絶縁ベース１０に固着する。
【００１４】
図２、図４及び図６を参照すると、電気コネクタ１が開放位置にある際に、駆動装置３０の操作ハンドル３４は垂直状態であり、且つ絶縁ベース１０及びカバー２０に相対して垂直し、該位置は操作ハンドル３４の原始状態であり、即ち、図６に示すゼロ角度位置である。この時、カバー２０のピン穴２２は絶縁ベース１０の端子穴１２に対して垂直に長さを合わせ、中央処理器のピンはピン穴２２及び端子穴１２に便利に挿入され、該位置にある際に、カバー２０は絶縁ベース１０に相対して変位がゼロであり、カム軸３２の当接端３２２の高所３２２０は当接面１６６の高所１６６０に当接する。駆動装置３０の操作ハンドル３４がゼロ角度位置から概略１０°乃至２０°だけ回転し、「ａ」角度位置にある際に、カム部３２０とカバー４０との間に隙間があることによって、カバー２０は摺動することはなく、変位がゼロである。駆動装置３０の操作ハンドル３４が水平位置に続いて回転し、カバー２０は「Ｎ」方向に沿って絶縁ベース１０に対して水平方向に摺動し、変位が徐々に増え、中央処理器のピンは電気コネクタ１の導電端子７０に機械的かつ電気的に接続する。駆動装置３０が「ａ」角度から「ｂ」角度に回転する過程中に、カム部３２０が蓋板４０に与える駆動力（カム部３２０が応力を相応して生じる）はカバー２０の変位が増えるに従って増え、操作ハンドル３４が「ｂ」角度に回転する際に、カム軸３２の当接端３２２の高所３２２０は当接面１６６の高所１６６０に当接し、図４に示すように、応力及びカバー２０の変位はいずれも最高点に到達する。操作ハンドル３４が概略１０°だけ続いて回転して「ｃ」角度に到達する際に、カム部３２０及びカバー２０は変位が変わらない。操作ハンドル３４が最初位置から「ｃ」角度に回転する過程中に、カム軸３２の当接端３２２の高所３２２０は絶縁ベース１０の当接面１６６の高所１６６０に絶えず当接し、操作ハンドル３４が「ｃ」角度から水平方向へ続いて回転する際に、カム軸３２の当接端３２２の高所３２２０は絶縁ベース１０の当接面１６６の斜面１６６４へ摺動し、カム軸３２は「Ｎ」方向に対して反対方向に沿って摺動し、カバー２０は絶縁ベース１０に対して変位がだんだん小さくなり、カム部３２０の応力もだんだん小さくなる。操作ハンドル３４が「ｄ」角度或いは最終位置に回転する際に、電気コネクタ１が閉鎖位置に位置し、カム軸３２の当接端３２２は収容孔１６４の当接面１６６に位置を合わせて相補的な状態になり、即ち、カム軸３２の当接端３２２の高所３２２０は絶縁ベース１０の当接面１６６の低所１６６２に当接し、カム軸３２の当接端３２２の低所３２２２は絶縁ベース１０の当接面１６６の高所１６６０に当接し、カバー２０の変位は「ｃ」角度に位置する変位に対して明らかに小さくなり、応力が解放される。この状態において、電気コネクタ１が高温環境に位置されても、カム部３２０は変形を生じなく、中央処理器のピンは電気コネクタ１の導電端子に安定に電気的に接続することを保証し得る。蓋板４０とカム部３２０との構造特徴、及びこれら二者は協動してカバー２０を押圧して絶縁ベース１０に相対して摺動する点は、特許文献７を参照することが可能である。
【００１５】
前記実施の形態は単なる本発明のより良い実施の形態であって、本発明の請求範囲を限定するものではなく、当業者が本発明に基づいてなしうる細部の修正或は変更などは、いずれも本発明の特許請求の範囲に属する。
【図面の簡単な説明】
【図１】本発明のゼロ挿入力電気コネクタの分解斜視図である。
【図２】図１に示したゼロ挿入力電気コネクタの組立図である。
【図３】図１に示したゼロ挿入力電気コネクタの駆動装置及び絶縁ベースの局部拡大図である。
【図４】本発明のゼロ挿入力電気コネクタが開放位置にあった際に、駆動装置のカム軸の当接端の高所が絶縁ベースの収容孔の当接面の高所に当接される状態の断面拡大図である。
【図５】本発明のゼロ挿入力電気コネクタが閉鎖位置にあった際に、駆動装置のカム軸の当接端が絶縁ベースの収容孔の当接面に補足し合われる状態の断面拡大図である。
【図６】本発明のゼロ挿入力電気コネクタの駆動装置が垂直位置から水平位置まで９０°で回転される際に、駆動装置の回転角度がカバーの変位との関係を示した状態図である。
【符号の説明】
１　電気コネクタ
１０　絶縁ベース
１１　上面
１２　端子穴
１３　横向き側壁
１４　貫通孔
１６　収容空間
１８　阻止柱
２０　カバー
２２　ピン穴
２４、４２　開口
３０　駆動装置
３２　カム軸
３４　操作ハンドル
４０　蓋板
５０　軸端片
５１、６１　スロット
６０　ロックボード
７０　導電端子
１６０　収容室
１６２　収容溝
１６４　収容孔
１６６　当接面
３２０　カム部
３２２　当接端
３２４　支持端
３４０　弧形部
１６６０、３２２０　高所
１６６２、３２２２　低所
１６６４、１７、３２２４　斜面
【図１】
2004014508.tif 000003
【図２】
2004014508.tif 000004
【図３】
2004014508.tif 000005
【図４】
2004014508.tif 000006
【図５】
2004014508.tif 000007
【図６】
2004014508.tif 000008